(57)【要約】【目的】風船の内部に重りを固定し、風船を使った遊びの巾が広がり、装飾性も増した風船の作り方と風船を提供することが目的である。【構成】風船に重りを入れ止め具で止めた後裏返して作る方法により、重り付きで尚且つその重りが表面に出ないため取り扱いやすい風船を作った、また、これを二重の風船で作り重りを止めた皺などが外から見て見えず、かつ二重の層間に装飾品などを入れ装飾性も増した風船。【選択図】図１
2004351176.tif 000002
【特許請求の範囲】
【請求項１】
ゴムや、ビニールなどでできた風船に於いて、重りとなる固形物を風船内に投入し、該風船を裏返した後、該固形物を装着する、重り装着方法。
【請求項２】
ゴムや、ビニールなどでできた風船に於いて、該風船を二重にし、まず外側の風船に空気を入れ、次に内側の風船に空気を入れ内側と外側の風船を一緒に縛る事によってゴムや、ビニールなどでできた、二重風船を完成させる風船作りの方法。
【請求項３】
前記特許請求の範囲第１項及び第２項に示した風船作りの方法によって作った風船。
【請求項４】
前記二重風船の間隔に装飾用の素材を封入してなる前特許請求の範囲第３項からなる風船。
【発明の詳細な説明】
【０００１】
【発明の属する技術分野】ゴムやビニールなどでできた風船に関する。
【０００２】
【従来の技術】従来の風船は野外で遊ぶ時、風の影響などを受けて思わぬ方向へ飛んで行き、取りに行くのが大変になり遊びに集中出来なかった。ひも等を付けても遊びの範囲が狭くなり、遊びながらもひもが絡まってしまい風船としての楽しみが無くなってしまう。また、乳児期において、子供は風船を与えられても手の届かない所に転がっていってしまいその度に周りの者が取って遣らなければいけない状況に度々陥ることがあり、相手をする者も忍耐が必要で、手元で遊びたい乳児にとってもストレスがたまってしまう事があった。
【０００３】
従って鮮やかな色や形で、子供の心を掴んで離さない風船ではあるが、遊び方に多様性が無く、これを使ってたっぷり遊ぶということは少なかった。また、風船には印刷でイラストや文字は入るが単色が多く、膨らみに合わせて歪みが出てしまい風船の鮮やかさや可愛らしさが生かされなくなると言う欠点があった。
【０００４】
また、ビー玉やその他の重りになる物を風船の中に入れて勝手に飛ばないようにする事も考えられたが、それでは中に入れたものが薄い風船のゴムやビニールを通して取り扱っている子ども等に直接あたる心配もあった。
【０００５】
【発明が解決しようとする課題】そこで、本発明の目的は、野外でも風の影響の受け方を少なくし、大人から赤ちゃんまで集中して楽しめて、色々変化のある遊びをする事ができ、また携帯しやすくメッセージ性、ディスプレイ性、ゲーム性も兼ねる事も出来る重り付き風船を開発することにある。
【０００６】
【課題を解決するための手段】本発明は、上記課題を解決するために内部に重りを装着し、止め具部分が重りのクッションになりその重りがぶつかっても怪我をする事のないようにした。かつ二重風船にする事により風船と風船の間にできる空気の層と、外側の風船が内側の風船に重りを付けた事によって出来る凹みをカバーすることでさらに安全である。
【０００７】
【発明の具体的な説明】以下図面で説明する。図１は、本発明による風船を具体的に示す、概略断面図である。（１）は、風船、（２）は、重り、（３）は、止め具である。図２図３は、図１を説明するための図である。ここでは重り（２）としてビー玉を使った。この風船（１）に、ビー玉（２）を、風船の口（４）から入れて、輪ゴムなどの止め具（３）で止め、その上で裏返し図３のように作る。そしてそれを膨らませると図１のようになる。
【０００８】
このようにして、重り（２）を風船（１）の中に装着しているため風船は今までのように少しの風にふかれても飛んで行くことはなくなる。また重り（２）は風船（１）の表面から離れ止め具（３）によって中に固定的に装置されているため、この風船（１）が直接子どもの頭などに当たっても打撃を受けることはない。
【０００９】
図４は、本発明による二重風船の概略断面図である。（５）は、風船ａ（６）は、風船ｂ、（７）は、重り、（８）は、止め具である。図４の二重風船は、図１を二重にした物であり、それを説明するための図が図５である。図３と同じ様にした風船ａ（５）を風船ｂ（６）のなかに入れた後外側の風船ｂ（６）のみにあらかじめ空気を少し入れ膨らませ、風船ａ（５）に空気を入れることにより図４のような二重風船ができる。この時風船ａ（５）を膨らませる事で風船ｂ（６）の空気は風船ａ（５）に出口を塞がれ空気が出る事はない。その後風船ａ（５）風船ｂ（６）を同時に結ぶ事で二つの風船を固定する事ができる。ここでは、このように先に風船ｂ（６）を膨らませる事により風船は膨らませ始めの時に吹く力が必要で、これが二重になると大変な力が必要となるという問題を解決し、あらかじめ外側の一つを膨らませているため容易に一緒に膨らませる事を可能にした。
【００１０】
このように二重にすれば、内側の風船ａ（５）に装着させた重り（７）を止め具（８）で止めた事で底辺に出来てしまう凹みも、風船ｂ（６）によって隠す事になり見た目ではなんの変哲もない普通の風船のように見えるが手に取ってつくと以外な動きをする風船ができる。また底辺が丸くなる事により起き上がりこぼしの様な動きもする。
【００１１】
図６は装飾具を入れて作った風船の事例である。ここでは図４のような二重にした風船ｃ（９）風船ｄ（１０）をベースにして装飾具（１３）を入れている。金色や銀色、その他色々な色紙を星形や円形、ひし形、等のようにかたどった物を装飾具（１３）として入れているが、二重にした風船の間にこれらの装飾具（１３）を入れているため外から見ても色合いがはっきり分る、ここにメッセージカード（１４）を入れても良い。また中にも装飾具（１５）を入れている。
【００１２】
この中にある重りｂ（１６）は、半球形のプラスチックケースで重りａ（１１）を中に入れ図２と同様に作る、それを説明する図が図７である、重りをこの様にすると半球の断面がゴム面になりその中を重りａ（１１）が自在に動き鈴の様な効果が得られ風船を手でついたりすると音を出す。
【００１３】
この事例では風船ｃ（９）と風船ｄ（１０）の二重層の中に装飾具（１３）を入れそれぞれの風船の中にも装飾具（１５）を入れているが二重層の間に限っても良い、また重りも重りｂ（１６）の鈴を使わず重りａ（１１）のみでも良い。
【００１４】
なお、図１、図４、図６、のそれぞれについて、重りは風船がほどよく跳ね、風に飛ばされないような重さが適当である、試行実験の結果、通常の風船（膨らませた大きさが約２４ｃｍぐらい）の場合、５ｇ程度の重りが適当である、従って図６の実施例の場合、重りｂ（１６）として入れたプラスチックケースが一定の重さを持っている時は、重りａ（１１）は重りｂ（１６）の重さを差し引いた重さにし、合計で５ｇ程度が良い。
【００１５】
【発明の効果】以上本発明による方法で作る風船は中に一定の重さを持ち、その結果ふうせんを取り扱う子どもや人が制御しやすくなる。其の一方でその重りを止め具で固定し、風船を二重にしているため重りがぶつかる事によって取り扱う者が怪我をする等はない。
【００１６】
膨らませない時は小さく携帯に便利である。尚且つ意外な方向にバウンドすることによって運動能力を高めゲーム性も増す。また、止め具によって本体に接することのない重りが刺激を外部より受ける事により音が出る。床に置き、起き上がりこぼしとしても楽しめる。風船を二重にする事により、それによって出来る層のあいだに紙および装飾具を入れる事も可能である。それを使いプレゼントのメッセージや、ディスプレイとしても利用できる。風船を使った遊びの範囲が大きく広がる効果がある。なお、本発明は実施例に限定されるものではない。
【図面の簡単な説明】
【図１】本発明重り付き風船の断面図である。
【図２】図１の内部構成を説明する図である。
【図３】図１の内部構成を説明する図である。
【図４】本発明の重り付き二重風船の断面図である。
【図５】図４の内部構成を説明する図である。
【図６】本発明の二重風船のディスプレイ一例断面図である。
【図７】図６の重りｂの組み立て説明図である。
【符号の説明】
１．５．９    は、風船である。
２．７．１１  は、重り
３．８．１２  は、止め具
６．１０      は、風船２
１３．１５    は、装飾具
１４  は、    メッセージカード
１６  は、    プラスチックケース
【図１】
2004351176.tif 000003
【図２】
2004351176.tif 000004
【図３】
2004351176.tif 000005
【図４】
2004351176.tif 000006
【図５】
2004351176.tif 000007
【図６】
2004351176.tif 000008
【図７】
2004351176.tif 000009